(57)【特許請求の範囲】
【請求項１】
包装梱包作業手順データおよび包装梱包材料データを記憶する記憶手段と、
入力項目を入力する入力手段と、
入力手段に入力された項目に基づいて演算処理をする演算処理手段と、
を備えた包装梱包工数算出装置において、
前記演算処理手段は、入力手段からの部品名、部品コード、部品数量の入力に基づいて個装梱包、内装梱包、外装梱包のそれぞれの工数データを前記記憶手段から呼出し包装梱包作業工数見積をする見積作成手段を備えたことを特徴とする包装梱包工数算出装置。
【請求項２】
前記演算処理手段は、入力手段からの部品名、部品コード、部品数量の入力に基づいて個装梱包，内装梱包，外装梱包のそれぞれの作業手順を前記記憶手段から呼出して作業手順書を作成する手順作成手段を備え、さらに前記見積作成手段または前記手順作成手段とを切り替える切替手段を備えた
ことを特徴とする請求項１記載の包装梱包工数算出装置。
【発明の詳細な説明】
【０００１】
【発明の属する技術分野】
本発明は、物流管理職場等で梱包部品の部品名、部品コードおよび数量を入力すると最適包装梱包段取りを選択し、自動演算処理を行い包装梱包作業工数見積の算出または包装梱包作業指示書を作成することができる包装梱包工数算出装置に関する。
【０００２】
【従来の技術】
従来の包装梱包の作業工数の見積は、見積作成者がそれぞれの経験と勘を頼りに積算し、過去の経験からの工数値に製品の数量に比例した工数値を上乗せして算出していた。
また、製品の大きさ重さの違いによっても工数値は大きく違う要素があるが見積作成者によって区々に算出していた。
さらに、従来の作業指示書の作成は、指示書作成者の主観で作業がしやすいように作成していた。
【０００３】
【発明が解決しようとする課題】
従来の包装梱包の作業工数の見積は、見積作成者の個人差により作業段取りの違いまたは経験の相違によって見積の誤差が大きいという課題がある。
また、従来の包装梱包の作業工数の見積は、梱包製品および梱包材料を熟知する経験者しかできないという課題がある。
さらに、従来の作業指示書の作成は、指示書作成者の主観で作成するために包装梱包の作業が区々になり種類がたくさんの作業指示書になるという課題がある。
【０００４】
本発明は、このような課題を解決するためになされたもので、その目的は、包装梱包作業工数の見積書または、包装梱包作業指示書の選択をし、部品名、部品コード、部品数量等の情報を入力するだけで自動的に包装梱包作業工数の見積書および包装梱包作業指示書を作成することができる包装梱包工数算出装置を提供することにある。
【０００５】
【課題を解決するための手段】
前記課題を解決するためこの発明に係る包装梱包工数算出装置は、包装梱包作業手順データおよび包装梱包材料データを記憶する記憶手段と、入力項目を入力する入力手段と、入力手段に入力された項目に基づいて演算処理をする演算処理手段と、を備えた包装梱包工数算出装置において、演算処理手段は、入力手段からの部品名、部品コード、部品数量の入力に基づいて個装梱包、内装梱包、外装梱包のそれぞれの工数データを記憶手段から呼出し包装梱包作業工数見積をする見積作成手段を備えたことを特徴とする。
【０００６】
この発明に係る包装梱包工数算出装置は、演算処理手段が、入力手段からの部品名、部品コード、部品数量の入力に基づいて個装梱包，内装梱包，外装梱包のそれぞれの作業手順を前記記憶手段から呼出して作業手順書を作成する手順作成手段を備え、さらに見積作成手段または手順作成手段とを切り替える切替手段を備えたことを特徴とする。
【０００７】
この発明に係る包装梱包工数算出装置の演算処理手段は、入力手段からの入力項目に基づいて包装梱包作業工数見積をする見積作成手段または包装梱包作業手順を作成する手順作成手段とを切り替える切替手段を備えたので見積もりの作成または作業手順の作成を簡単な操作で選択することができる。
【０００８】
この発明に係る包装梱包工数算出装置は、入力手段からの部品名、部品コード、部品数量の入力に基づいて個装梱包，内装梱包，外装梱包のそれぞれの工数データを記憶手段から呼出し見積工数を算出する演算処理手段を備えたので最小限の入力で工数の算出ができる。
【００１０】
この発明に係る包装梱包工数算出装置は、入力手段からの部品名、部品コード、部品数量の入力に基づいて個装梱包，内装梱包，外装梱包のそれぞれの作業手順を記憶手段から呼出して作業手順書を作成する手順作成手段を備えたので最小限の入力で作業手順の作成ができる。
【００１１】
【発明の実施の形態】
以下、この発明の実施の形態を添付図面に基づいて説明する。
なお、本発明は、表示装置に表示される部品名，数量等最小の入力項目にしたがって入力要素を選択入力すると、自動的に包装梱包作業工数の見積書または作業指示書を作成することができる包装梱包工数算出装置を実現するためのものである。
【００１２】
図１はこの発明に係る包装梱包工数算出装置のハードウエアの構成を示すブロック構成図である。
図１において、包装梱包工数算出装置１は、入力手段２、記憶手段３、表示手段４、演算処理手段５、印刷手段６を備える。
【００１３】
入力手段２は、キーボード、マウス等で構成し、文字または数字を入力することができ、難しいコマンドではなくキーボードからの簡単なアルファベット入力または数字キーの入力操作で利用できるようになっている。
【００１４】
演算処理手段５は、マイクロプロセッサを基本に各種演算手段、処理手段、バッファメモリ等で構成し、表示手段４に選択項目を表示し、入力手段２によって選択された項目に基づいて切替器を切り替え見積作成手段または手順作成手段を選択し、さらに内部または外部記憶手段に記憶される各種データに基づいて工数演算または作業手順を作成する。
【００１５】
図２はこの発明に係る演算処理手段の要部ブロック構成図である。
図２において演算処理手段５は、見積作成手段７、手順作成手段８、切替手段９とで構成する。
見積作成手段７は、入力手段からの入力項目に基づいて演算を行い工数の見積を作成する。
手順作成手段８は、入力手段からの入力項目に基づいて手順書の作成を行い作業手順書を作成する。
切替手段９は、ソフト制御のソフトウエア切替器で構成し、入力手段からの入力項目に基づいて見積作成手段７または、手順作成手段８を選択する。
【００１６】
記憶手段３は、大量の記憶容量を備えた内部記憶手段であるハードディスクと大量の記憶容量を備えたＣＤ−ＲＯＭ，ＭＯ，ＤＶＤ−ＲＯＭ等の外部記憶手段とで構成し、内部記憶手段のハードディスクには、部品データ、副資材データ、包装材データ、包装方法データ、作業基準工数データ等が記憶されている。
【００１７】
また、外部記憶手段のＣＤ−ＲＯＭ等には、例えば以前に使用の全部品データ、全副資材データ、包装材データ、包装方法データ等が記憶されていて例えば標準以外の部品データを使用して作業を行う時などにも対応できるようにしている。
また、新しい部品データができた時にもＣＤ−ＲＯＭ，ＭＯ，ＤＶＤ−ＲＯＭ等の外部記憶手段で迅速な対応ができるようにしている。
【００１８】
また、内部記憶手段のハードディスクに記憶される部品データは、部品名、部品番号、外形寸法、重量と部品毎の副資材データ、包装材データ、包装方法データ等が記憶され、副資材データは、例えば図３に示すように副資材の品名と、この副資材を１個使用した時の標準工数が記憶されている。
図３は個装または内装の副資材とサイズ毎の工数の図である。
副資材それぞれに番号が割り振られさらにサイズによる区分もなされている。
【００１９】
図４は包装材名称と工数の図である。
包装材データは、図４に示すように包装材の品名と、この品名の物を使用した時の標準工数が記憶されている。
包装材には番号が割り振られ部品名からリンクされるようになっている。
【００２０】
図５は包装方法と部品数量における工数の図である。
個装、内装、外装それぞれについて包装方法が選択でき、包装する部品数量によっても工数が違ってくるので包装方法それぞれに割り振られた番号と部品数量を当てはめると工数が算出できる。
【００２１】
この包装方法に記憶される工数は、予め計算式で求められる段取り工数の算出値、部品を袋類，化粧箱，個装箱に複数投入する場合の工数算出値、部品の重量による割り増し係数（例えば２kg以上５kg未満は１５％増し、５kg以上１０kg未満は２５％増し等）、作業ロス係数（例えば１５％）、管理工数（例えば１０％）等に基づいて算出してある。
また、個々に記載されている工数の単位は、全て秒で表わす。
【００２２】
表示手段４は、ブラウン管または液晶等のディスプレイで構成し、記憶手段３から読み出された項目の要素を入力手段２によって入力し、決められた順に演算処理手段５からの項目が読み出され後述する画面が表示される。
【００２３】
印刷手段６は、プリンタ等の印刷出力装置で構成し、演算処理手段５で演算処理した情報から包装梱包作業工数見積書、または作業指示書を出力する。
【００２４】
図６はこの発明に係る包装梱包作業工数見積の概略を示すフローチャートである。
包装梱包工数算出装置１は、例えば演算処理手段５の包装梱包作業工数見積作成プログラム等を起動するとともに内部記憶手段からの読み込みまたは外部記憶手段にＣＤ−ＲＯＭ等をセットすると、表示手段４の画面上に図７のメニュー選択画面が表示される。
ステップＳ１では、作業内容の選択をする。
【００２５】
図７はこの発明に係る梱包包装作業作成書の画面の図である。
図７に表示されたメニュー選択画面で包装梱包作業工数見積書を作成するか、包装梱包作業手順書を作成するかの選択を行う。
ステップＳ１の作成項目で例えば項目番号１の包装梱包作業工数見積書を選択すると演算処理手段５の切替手段９を見積作成手段７に切り替え次にステップ２の部品名入力画面になる。
【００２６】
図８はこの発明に係る包装梱包作業工数見積書の包装梱包をする部品名、部品コード部品数量の入力画面の図である。
図８の入力項目の部品名と部品コードの両方を入力することによって部品の選択ミスの防止をしている。
ステップ２では部品名称，部品コード，部品数量を入力すると図３〜図５のテーブルをサーチして部品毎に副資材データ，包装材データ，包装方法データとリンク先が決まっているので記憶手段３の部品データ，副資材データ，包装材データ，包装方法データを自動的に選択する。
【００２７】
また、ステップ２で部品名称，部品コードが入力されると部品名称と部品コードの一致を確認し、内部記憶手段から検索を開始する。
この時内部記憶手段に一致データが見つからない時は外部記憶手段を検索する。
【００２８】
ステップ２の入力が終了するとステップ３の作業確認画面になる。
図９はこの発明に係る包装梱包作業工数見積書の入力および作業選択結果の確認画面の図である。
ステップ３では、ステップ２で入力した部品名称，部品コード，部品数量に基づいて個装，内装，外装と作業内容が出力され確認ができるようになっている。また、この確認画面で副資材、包装材または包装方法を変更したい時は、その位置にカーソルを移動して項目番号を再入力すれば変更できる。
作業内容、入力項目に誤りがあれば確認入力をＮ（ＮＯ）にすると、図８の部品名称，部品コード，部品数量入力画面に戻ります。
【００２９】
ステップ４は、作成した包装梱包作業工数見積書をファイルに保存するかどうかの選択と、画面出力か印刷出力するかの選択をします。
図１０はこの発明に係る包装梱包作業工数見積書の出力方法の選択画面の図である。
図１０において入力結果の出力が画面上のみの出力と、印刷出力を行うかどうかさらにファイルに保存するかどうか、保存するのであればファイル名を入力します。
【００３０】
ステップ５は、包装梱包作業工数見積書の出力方法を選択します。
図１１はこの発明に係る包装梱包作業工数見積書の画面出力の図である。
図１１では出力方法を画面出力とすると、部品名、部品コード、による個装、内装、外装のそれぞれの副資材、包装材、包装方法がすべて画面上に出力され工数の計算が行われている。
【００３１】
このように、この発明に係る包装梱包工数算出装置１は、部品名称、部品コード、数量を入力するだけで自動的に包装梱包の工数計算ができる。
図１２はこの発明に係る包装梱包作業指示書の画面出力の図である。
包装梱包作業指示書の作成は、図７のメニュー選択画面で包装梱包作業手順書を作成の項目番号２を選択し、図８で包装梱包作業工数見積書同様に部品名、部品コードの入力を行うとステップ５の出力画面で図１２のように作業項目と作業順序が出力される。
【００３２】
【発明の効果】
以上説明したように、この発明に係る包装梱包工数算出装置の演算処理手段は、
入力手段からの入力項目に基づいて包装梱包作業工数見積をする見積作成手段または包装梱包作業手順を作成する手順作成手段とを切り替える切替手段を備えたので見積もりの作成または作業手順の作成を簡単な操作で選択することができる。
【００３３】
また、この発明に係る見積作成手段は、入力手段からの部品名、部品コード、部品数量の入力に基づいて個装梱包，内装梱包，外装梱包のそれぞれの工数データを記憶手段から呼出し見積工数を算出する演算手段を備えたので最小限の入力で工数の算出ができ初心者でも利用できる。
【００３４】
さらに、この発明に係る作業手順作成手段は、入力手段からの部品名、部品コード、部品数量の入力に基づいて個装梱包，内装梱包，外装梱包のそれぞれの作業手順を記憶手段から呼出して作業手順書を作成する作業作成手段を備えたので最小限の入力で作業手順の作成ができ初心者でも容易に作業手順書の作成ができる。
【００３５】
また、画面の表示と、外部記憶装置に記憶する部品データ、副資材データ、包装材データ、包装方法データ等のデータベースを外国文に変更すればそのまま海外での使用も可能になり、海外での工場進出にも容易に対応できる。
【００３６】
よって、誰でも簡単な文字および数字を入力するだけで包装梱包作業工数の見積または包装梱包作業手順書の作成ができる操作性に優れた包装梱包工数算出装置を提供することができる。
【図面の簡単な説明】
【図１】この発明に係る包装梱包工数算出装置のハードウエアの構成を示すブロック構成図
【図２】この発明に係る演算処理手段の要部ブロック構成図
【図３】この発明に係る個装または内装の副資材とサイズ毎の工数の図
【図４】この発明に係る包装材名称と工数の図
【図５】この発明に係る包装方法と部品数量における工数の図
【図６】この発明に係る包装梱包作業工数見積の概略を示すフローチャート
【図７】この発明に係る梱包包装作業作成書の画面の図
【図８】この発明に係る包装梱包作業工数見積書の包装梱包をする部品名、部品コード部品数量の入力画面の図
【図９】この発明に係る包装梱包作業工数見積書の入力および作業選択結果の確認画面の図
【図１０】この発明に係る包装梱包作業工数見積書の出力方法の選択画面の図
【図１１】この発明に係る包装梱包作業工数見積書の画面出力の図
【図１２】この発明に係る包装梱包作業指示書の画面出力の図
【符号の説明】
１…包装梱包工数算出装置、２…入力手段、３…記憶手段、４…表示手段、５…演算処理手段、６…印刷手段。
【図１】
0003762128.tif 000002
【図２】
0003762128.tif 000003
【図３】
0003762128.tif 000004
【図４】
0003762128.tif 000005
【図５】
0003762128.tif 000006
【図６】
0003762128.tif 000007
【図７】
0003762128.tif 000008
【図８】
0003762128.tif 000009
【図９】
0003762128.tif 000010
【図１０】
0003762128.tif 000011
【図１１】
0003762128.tif 000012
【図１２】
0003762128.tif 000013